(57)【要約】  本発明は、水、次亜塩素酸塩漂白剤、界面活性剤並びにアルカリ金属水酸化物、塩化物、硫酸塩、炭酸塩及びこれらの混合物から成る群から選択された電解質を含み、少なくとも２種類の異なるアルカリ金属イオンを含む濃厚漂白組成物を提供する。本発明の組成物は、垂直面又は斜面を含めた多種多様な表面に適用するために十分な粘度を備えており、安価で容易に入手することができる物質を使用して効果的に粘性が高められている。【特許請求の範囲】
【請求項１】
維成物が、次亜塩素酸塩０．１から１０％と、
界面活性剤０．５から２０％と、
アルカリ金属水酸化物、ハロゲン化物、硫酸塩、炭酸塩及びこれらの混合物から成る群から選択された電解質０．１から８％とを含み、少なくとも２種類の異なるアルカリ金属イオンを含むことを特徴とする、水、次亜塩素酸塩漂白剤及び界面活性剤を含む、濃厚液体漂白組成物。
【請求項２】
前記次亜塩素酸塩がアルカリ金属塩である、請求項１に記載の組成物。
【請求項３】
前記次亜塩素酸塩が次亜塩素酸ナトリウムである、請求項２に記載の組成物。
【請求項４】
前記界面活性剤が、分子構造中にＣ原子８〜２２個を含有する分枝鎖若しくは直鎖アルキル基又はＣ原子８〜２２個を含有するアリール若しくはアルキルアリール基を有する、有機硫酸モノエステル及びスルホン酸の水溶性塩から選択されるアニオン性界面活性剤を含む、請求項１から３に記載の組成物。
【請求項５】
前記組成物中の主要なアルカリ金属が、全アルカリ金属イオンの少なくとも１０％のモル量で存在する、請求項１から４に記載の組成物。
【請求項６】
前記電解質が、アルカリ金属水酸化物、塩化物、硫酸塩及びこれらの混合物から選択される、請求項１から５のいずれか一項に記載の組成物。
【請求項７】
前記次亜塩素酸塩及び電解質がナトリウム化合物及びカリウム化合物から選択される、請求項６に記載の組成物。
【請求項８】
前記次亜塩素酸塩が次亜塩素酸ナトリウムであり、前記電解質がカリウム化合物である、請求項７に記載の組成物。
【請求項９】
前記組成物中の電解質の全量が０．１から５％の範囲である、請求項１から８のいずれか一項に記載の組成物。
【発明の詳細な説明】
【技術分野】
【０００１】
本発明の組成物は濃厚塩素系漂白組成物に関する。
【背景技術】
【０００２】
洗浄組成物は、日々の生活において、多種多様な物質、たとえば、硬質表面、布地及び布製室内装飾品を洗浄するために使用される。多くの洗浄組成物は、界面活性剤と組み合わせて漂白剤を含有することが多い。このような漂白剤含有組成物は特に、布地若しくは硬質表面などから着色した汚れを除去するため、又は特に硬質表面の衛生洗浄のために企図される。活性塩素系漂白剤は、この目的のために非常に一般的である。
【０００３】
このような硬質表面を構成する一般的な材料には、セラミック、金属（たとえば、ステンレススチール、クロムメッキ材料）、石、木、琺瑯及びポリマー表面が含まれる。
【０００４】
漂白剤を含む洗浄組成物は粘性を高める必要がしばしばある。粘性を高めた組成物は、制御された方法で分配することが容易である。また、該組成物を洗浄すべき表面に塗布したとき、しっかり洗浄するために十分な時間表面と接触する。該組成物を水平表面の下面又は洗面所の縁若しくは便器などの垂直面若しくは斜面に塗布するとき、このことは特に重要である。これらの組成物の粘性を高める方法には、ポリマーの使用又は高品質の界面活性剤の組み込みが含まれるが、そのいずれも高価な方法である。
【０００５】
米国特許第４８３９０７７号は、（ｉ）ハロゲン化合物漂白剤、（ｉｉ）分子量が１０００から１０００００までであり、得られたポリマーの酸価が８０から４００ｍｇＫＯＨ／ｇポリマーの間であるように荷電モノマー及び非荷電モノマーを含むポリマー増粘剤、（ｉｉｉ）漂白耐性非イオン性界面活性剤及び漂白耐性アニオン性界面活性剤を含む界面活性剤系を含む濃厚漂白組成物について記載している。
【０００６】
米国特許第５８２１２１４号は、（ｉ）軟質研磨粒子０．５から１０％、（ｉｉ）塩素系漂白剤０．５から２．５％、（ｉｉｉ）分子量範囲１００００００から１０００００００までの架橋結合ポリアクリル樹脂を含む濃厚系０．２から３％、（ｉｖ）主にアニオン性界面活性剤を含む漂白安定界面活性剤系０．２５から３％、及び（ｖ）ｐＨの範囲を１１．５から１３．５にするために水酸化カリウム若しくは水酸化ナトリウムを十分な量で含む洗浄組成物について記載している。
【０００７】
特開平１０／２４１６８７は、（ｉ）アルカリ金属次亜塩素酸塩０．１から８％、（ｉｉ）アルカリ金属水酸化物０．１から９％、（ｉｉｉ）アニオン性界面活性剤０．１から５％及び（ｉｖ）好ましくはリン酸若しくはその塩若しくは可溶性ケイ酸塩である緩衝液０．１から５％で含む硬質表面洗浄用液体漂白組成物について記載している。
【０００８】
米国特許第６１００２２８号は、（ｉ）次亜塩素酸を生じる化合物の有効量、（ｉｉ）（ａ）アルカリ金属石けん、（ｂ）トリアルキルアミンオキシド、ベタイン及びそれらの混合物から成るハイドロトロープを含む３要素増粘系、ｉｉｉ）漂白安定溶媒及び（ｉｖ）組成物を安定化させる緩衝液／電解質、残部水を含む漂白ゲル状洗浄剤及びその調製方法について記載している。
【発明の開示】
【発明が解決しようとする課題】
【０００９】
前記の従来技術の組成物は、複雑な多成分混合物及び／又はポリマーなどの高価な原材料を必要とするので高価である。したがって、安価で、入手しやすい材料を使用して粘性を高めた次亜塩素酸塩漂白組成物が必要とされている。
【００１０】
本発明は、垂直面又は斜面を含めた広範な表面に適用するために有用な十分な粘度を備えた、界面活性剤及びアルカリ金属電解質を含む濃厚液体次亜塩素酸塩漂白組成物を提供する。
【００１１】
本明細書では、特記しない限り、パーセントは全て組成物全重量をベースとした重量によるものである。
【課題を解決するための手段】
【００１２】
該濃厚液体漂白組成物は、水、次亜塩素酸塩０．１から１０％、界面活性剤０．５から２０％、アルカリ金属水酸化物、ハロゲン化物、硫酸塩、炭酸塩及びそれらの混合物から成る群から選択された電解質０．１から８％を含み、該組成物は少なくとも２種類の異なるアルカリ金属イオンを含む。
【００１３】
漂白剤
本発明の濃厚漂白組成物中の漂白剤は、次亜塩素酸塩である。該次亜塩素酸塩の陽イオンは、アルカリ金属及びアルカリ土類金属から選択され、好ましくはアルカリ金属で、より好ましくはナトリウム及びカリウムで、最も好ましくはナトリウムである。
【００１４】
多くの市販のアルカリ金属次亜塩素酸塩の水溶液にはまた、対応するアルカリ金属塩化物が含まれている。これは、アルカリ金属水酸化物と塩素ガスとを反応させ、対応するアルカリ金属次亜塩素酸塩及びアルカリ金属塩化物を形成させることを含むアルカリ金属次亜塩素酸塩の製造方法のためである。これらはしばしば、さらに精製することなくそれ自体販売されており、「高塩」漂白剤と呼ばれる。たとえば、アルカリ金属がナトリウムならば、「高塩」次亜塩素酸ナトリウム漂白溶液は、塩化ナトリウムも含有する。
【００１５】
対応する塩化物を含まないアルカリ金属次亜塩素酸塩を原料とすることもまた、可能である。「低塩」又は「高純度」漂白剤としばしば称されるこのような製品は、アルカリ金属水酸化物と次亜塩素酸とを反応させることによって調製される。
【００１６】
本発明の濃厚漂白組成物は「高塩」若しくは「低塩」漂白剤のいずれかから開始して調製することができる。しかし、本発明の好ましい漂白剤は、利用性が広く低費用であることから次亜塩素酸ナトリウムである。本発明の「高塩」次亜塩素酸ナトリウム漂白剤はまた、対応する「低塩」溶液と比較してより利用性が広く、安価なので、使用することが好ましい。
【００１７】
本発明の組成物におけるアルカリ金属次亜塩素酸塩の全量は１０％までの範囲であり、好ましくは０．１から８％まで、より好ましくは１から５％までである。
【００１８】
界面活性剤
次亜塩素酸塩と適合する界面活性剤は、本発明の濃厚漂白組成物で使用される。
【００１９】
本発明にはアニオン性界面活性剤を使用することが好ましく、石けん系又は非石けん系界面活性剤であってよい。非石けん系界面活性剤を使用することが好ましい。該アニオン性界面活性剤は、アルカリ金属若しくはアルカリ土類金属若しくはアンモニウム若しくはアルカノールアミン対イオン、又はこれらの混合物を有してよい。
【００２０】
従来技術では、分子構造中にＣ原子８〜２２個を含有する分枝鎖若しくは直鎖アルキル基、又はＣ原子８〜２２個を含有するアリール基若しくはアルキルアリール基を有する、有機硫酸モノエステル及びスルホン酸の水溶性塩を含めた多種多様なアニオン性界面活性剤が次亜塩素酸塩溶液で使用するのに適していることが示された。このような適切なアニオン性界面活性剤には、アルキルベンゼンスルホン酸のアルカリ金属塩、アルキル−グリセリルエーテル硫酸塩（特に、ヤシ油及び獣脂から得られたアルコールのエーテル）、１級及び２級アルキルスルホン酸塩、オレフィンスルホン酸塩、アルキル硫酸塩、脂肪酸モノグリセリド硫酸塩及びこれらの混合物が含まれる。
【００２１】
本発明の組成物で使用するために特に適したアニオン性界面活性剤は、ＳＬＥＳ（ラウリルエーテル硫酸ナトリウム）などのエトキシル化アルコール硫酸塩、１級及び２級アルキル硫酸塩及びこれらの混合物である。
【００２２】
本発明の組成物に非イオン性、カチオン性、両性又は双性イオン界面活性剤などの他の界面活性剤を含めることもまた、可能である。
【００２３】
本発明の組成物における界面活性剤の全量は０．５から１０％まで、好ましくは０．５から１０％までの範囲である。好ましくは全界面活性剤の少なくとも５０重量％、より好ましくは少なくとも７０％はアニオン性界面活性剤である。
【００２４】
電解質
本発明において、本明細書で使用した「電解質」という用語は、次亜塩素酸塩及びイオン性界面活性剤を含まない。本発明の濃厚漂白組成物で使用する電解質は、アルカリ金属水酸化物、ハロゲン化物、硫酸塩、炭酸塩及びこれらの混合物から成る群から選択される。好ましくは、これらは、水酸化物、ハロゲン化物及び硫酸塩から、より好ましくは水酸化物及びハロゲン化物から選択される。ハロゲン化物の中でも、塩化物が最も好ましい。
【００２５】
次亜塩素酸塩と組み合わせて、該組成物の全アルカリ金属イオン成分が少なくとも２種類の異なるアルカリ金属を含むように、電解質を選択する。
【００２６】
この要求を満たす様々な別の方法は、当業者には明らかであろう。好ましい１方法は、異なる陽イオンを備えた少なくとも１種のアルカリ金属電解質とアルカリ金属次亜塩素酸塩を一緒にすることである。別の方法は、１種若しくは複数のアルカリ金属イオンを有する１種若しくは複数の電解質と様々なアルカリ金属次亜塩素酸塩とを一緒にすることである。
【００２７】
該組成物中の主要なアルカリ金属は、全アルカリ金属イオンの少なくとも１０％のモル量で存在させることが好ましい。
【００２８】
本発明の好ましい実施形態では、該組成物の陽イオン成分が全てアルカリ金属陽イオンで完全に構成されるように、該組成物の全成分が選択される。より好ましい実施形態では、該陽イオンは、ナトリウム及びカリウムのみを含む。
【００２９】
前述の様々な好ましい実施形態を考えると、本発明の最も好ましい実施形態は、次亜塩素酸塩、並びにアルカリ金属イオンの全モル量の少なくとも１０％がカリウムイオンであるような量で水酸化カリウム及び塩化カリウムから選択される少なくとも１種の電解質を含む。
【００３０】
該電解質は、濃厚漂白組成物のｐＨを確実に少なくとも１１、好ましくは少なくとも１２．５にする薬剤を含むこともまた、好ましい。
【００３１】
前記に概略したように、「高塩」アルカリ金属次亜塩素酸塩を使用する場合、該組成物における電解質量全体の一部は次亜塩素酸塩に伴うアルカリ金属塩化物であることは避けられない。
【００３２】
本発明の組成物における電解質の全量は０．１から８％まで、好ましくは０．１から５．０％までの範囲である。
【００３３】
次亜塩素酸塩、界面活性剤及び電解質に加えて、本発明の組成物は水を含む。
【００３４】
任意の成分
本発明の成分は、該組成物の性能及び／又は美感を高めるためのその他の任意の成分、たとえば、溶媒、研磨剤、構造剤、着色剤、ヒドロトロープ剤、白色剤、蛍光増白剤、土沈殿防止剤及び香料を含有することができる。
【００３５】
本発明による組成物は一般的に、さらに粘性を高めるためにポリマー増粘剤を必要とせず、したがってこのような薬剤は該組成物には含まれないことが好ましい。
【００３６】
製品の形態
本発明の組成物は、本発明において、容易に注ぐことができる液体、濃厚な液体、ジェル、ペースト及びムースを含む粘性を高めた液体である。
【００３７】
好ましい形態は、容易に注ぐことができるか、濃厚な注ぐことができる液体又はジェルである。
【実施例】
【００３８】
比較実施例では、該組成物は１種類のアルカリ金属イオンのみを含む。
【００３９】
比較実施例Ａ
ＳＬＥＳ（ラウリル硫酸ナトリウム（２．５ＥＯ））２８０ｇを３リットルの容器に入れた。これに、１５８０ｇの水に溶解した水酸化ナトリウム１３４ｇ、ケイ酸ナトリウム溶液（固形分５０％）２ｇ、塩化ナトリウム１０ｇの溶液を連続撹拌しながら添加した。漂白組成物を調製するために、前記混合物に「高塩」次亜塩素酸ナトリウム溶液（次亜塩素酸ナトリウム３０ｇ及び塩化ナトリウム２６ｇ及び残部水を含有する。）を常に撹拌しながら添加した。
【００４０】
比較実施例Ｂ
塩化ナトリウム１６ｇを予備調製溶液の塩化ナトリウム１０ｇの代わりに使用すること以外は、比較実施例Ａに対応した組成物を調製した。
【００４１】
比較実施例Ｃ
塩化ナトリウム２０ｇを予備調製溶液の塩化ナトリウム１０ｇの代わりに使用すること以外は、比較実施例Ａに対応した組成物を調製した。
【００４２】
（実施例１）
塩化カリウム１０ｇを塩化ナトリウムの代わりに添加すること以外は、比較実施例Ａに対応した組成物を調製した。
【００４３】
（実施例２）
塩化カリウム１６ｇを塩化ナトリウムの代わりに添加すること以外は、比較実施例Ｂに対応した組成物を調製した。
【００４４】
（実施例３）
塩化カリウム２０ｇを塩化ナトリウムの代わりに添加すること以外は、比較実施例Ｃに対応した組成物を調製した。
【００４５】
表１に、比較実施例Ａ、Ｂ、Ｃ及び実施例１、２、３の組成物を成分の重量パーセントと共に挙げる。表１にはまた、該組成物の粘度を挙げる。表１のデータは、全電解質濃度が同じ場合、電解質に関連したアルカリ金属陽イオンがアルカリ金属次亜塩素酸塩に関連したアルカリ金属陽イオンと異なるとき、組成物の粘度増加に関して相乗効果があることを示している。
【００４６】
【表１】
2007511648.tif 000002
【００４７】
比較実施例Ｄ、Ｅ及び本発明による実施例４及び５では、アニオン性界面活性剤の混合物を使用した。
【００４８】
比較実施例Ｄ
ＳＬＥＳ１８７ｇ及び２級アルキル硫酸塩（ＳＡＳ）９３ｇをＳＬＥＳ２８０ｇの代わりに使用すること以外は比較実施例Ｂに対応した組成物を調製した。
【００４９】
比較実施例Ｅ
ＳＬＥＳ１８７ｇ及びＳＡＳ９３ｇをＳＬＥＳ２８０ｇの代わりに使用すること以外は比較実施例Ｃに対応した組成物を調製した。
【００５０】
（実施例４）
ＳＬＥＳ１８７ｇ及びＳＡＳ９３ｇをＳＬＥＳ２８０ｇの代わりに使用すること以外は実施例２に対応した組成物を調製した。
【００５１】
（実施例５）
ＳＬＥＳ１８７ｇ及びＳＡＳ９３ｇをＳＬＥＳ２８０ｇの代わりに使用すること以外は実施例３に対応した組成物を調製した。
【００５２】
表２に、比較実施例Ｄ及びＥ並びに実施例４及び５の組成物を成分の重量パーセントと共に挙げる。表２に挙げたデータは、本発明による組成物では、界面活性剤の混合物を使用するとき、粘度の増加に関して相乗的効果がまた得られることを示している。
【００５３】
【表２】
2007511648.tif 000003
【００５４】
（実施例６〜１１）
これらの実施例は、表３に概略を示した広範な濃度の次亜塩素酸塩、界面活性剤及び電解質を有する本発明による濃厚漂白組成物を示している。この表は、本発明による濃厚漂白組成物（粘度９０ｍＰａＳ以上）が広範な濃度の次亜塩素酸塩、界面活性剤及び電解質で得ることができることを示している。
【００５５】
【表３】
2007511648.tif 000004
【手続補正書】
【提出日】平成17年11月21日(2005.11.21)
【手続補正１】
【補正対象書類名】特許請求の範囲
【補正対象項目名】全文
【補正方法】変更
【補正の内容】
【特許請求の範囲】
【請求項１】
維成物が、次亜塩素酸ナトリウム及び次亜塩素酸カリウムから選択される次亜塩素酸塩０．１から１０％ｗと、
界面活性剤０．５から２０％ｗと、
アルカリ金属水酸化物、ハロゲン化物、硫酸塩、炭酸塩及びこれらの混合物から成る群から選択される電解質０．１から８％ｗとを含み、並びに組成物が少なくとも2種の異なるアルカリ金属を含み、組成物中の主要なアルカリ金属イオンが全アルカリ金属イオン含量の少なくとも１０％のモル量で存在し、ポリマー増粘剤が組成物中に含まれていないことを特徴とする、水、次亜塩素酸塩漂白剤及び界面活性剤を含む、濃厚液体漂白組成物。
【請求項２】
前記次亜塩素酸塩が次亜塩素酸ナトリウムである、請求項２に記載の組成物。
【請求項３】
前記界面活性剤が、分子構造中にＣ原子８〜２２個を含有する分枝鎖若しくは直鎖アルキル基又はＣ原子８〜２２個を含有するアリール若しくはアルキルアリール基を有する、有機硫酸モノエステル及びスルホン酸の水溶性塩から選択されるアニオン性界面活性剤を含む、請求項１から３に記載の組成物。
【請求項４】
前記電解質がアルカリ金属水酸化物、塩化物、硫酸塩及びこれらの混合物から選択される、請求項１から５のいずれか一項に記載の組成物。
【請求項５】
前記次亜塩素酸塩及び電解質がナトリウム化合物及びカリウム化合物から選択される、請求項６に記載の組成物。
【請求項６】
前記次亜塩素酸塩が次亜塩素酸ナトリウムであり、電解質がカリウム化合物である、請求項７に記載の組成物。
【請求項７】
前記組成物中の電解質の全量が０．１から５％ｗの範囲である、請求項１から８のいずれか一項に記載の組成物。
【国際調査報告】
2007511648.tif 000005
2007511648.tif 000006